(57)【要約】      （修正有）【課題】製造コストの低減化を図るとともに、雄型連結部及び雌型連結部のそれぞれの連結性の向上を図ることができる断熱ボードを提供する。【解決手段】平板状を成す金属製の表面材１０と、平板状を成す金属製の裏面材２０との間に断熱性を有する芯材３０を介在させて一体的に構成し、左右両端の一方に雄型連結部４０が形成されるとともに他方に雌型連結部５０が形成される。雄型連結部４０は、表面材１０及び裏面材２０のそれぞれの一端部を屈曲させて構成された先細り形状の突部４１を備える。雌型連結部５０は、表面材１０及び裏面材２０のそれぞれの他端部を屈曲させて構成され、かつ先端に向かうに連れて開口面積が漸次大きく成る態様の窪部５１と、窪部５１に連続する態様で表面材１０の他端部を屈曲させて構成され、かつ隣接する他の断熱ボードの隣接端部を覆うためのカバー部５２とを備える。【選択図】図１
0003160288.tif 000002
【実用新案登録請求の範囲】
【請求項１】
平板状を成す金属製の表面材と、平板状を成す金属製の裏面材との間に断熱性を有する芯材を介在させて一体的に構成し、左右両端の一方に雄型連結部が形成されるとともに他方に雌型連結部が形成された断熱ボードにおいて、
前記雄型連結部は、前記表面材及び前記裏面材のそれぞれの一端部を屈曲させて構成された先細り形状の突部を備え、
前記雌型連結部は、
前記表面材及び前記裏面材のそれぞれの他端部を屈曲させて構成され、かつ先端に向かうに連れて開口面積が漸次大きく成る態様の窪部と、
前記窪部に連続する態様で前記表面材の他端部を屈曲させて構成され、かつ隣接する他の断熱ボードの隣接端部を覆うためのカバー部と
を備えたことを特徴とする断熱ボード。
【請求項２】
前記芯材は、発泡ウレタンであることを特徴とする請求項１に記載の断熱ボード。
【考案の詳細な説明】
【技術分野】
【０００１】
本考案は、断熱ボードに関し、より詳細には、例えばコンビニエンスストア等の店舗の外壁材等を構成する断熱ボードに関するものである。
【背景技術】
【０００２】
従来、例えばコンビニエンスストア等の店舗の外壁材等を構成する断熱ボードとして、特開平６−２３８７８５号公報に提案されたものが知られている。
【０００３】
この公報に提案された断熱ボードは、ともに平板状を成す金属製の表面材と裏面材との間に芯材を介在させて一体的に構成されたものであって、一方の端部に雄型連結部が形成され、他方の端部に雌型連結部が形成されている。雄型連結部は、長尺状の無機ボードが一体的に設けられて突起部が形成されるとともに、かかる突起部に連続する態様で凹部が形成されて構成されている。雌型連結部は、上記突起部と嵌合可能な大きさを有する溝部が形成されるとともに、長尺状の無機ボードが一体的に設けられて該溝部に連続する態様で上記凹部に嵌合可能な大きさを有する凸部が形成されて構成されている。このような雄型連結部は、隣接する断熱ボードの雌型連結部と係合して連結するものであり、雌型連結部は、隣接する他の断熱ボードの雄型連結部と係合して連結するものである。
【考案の概要】
【考案が解決しようとする課題】
【０００４】
ところが、上述したような断熱ボードにおいては、雄型連結部及び雌型連結部のそれぞれに長尺状の無機ボードが一体的に設けられて突起部（凸部）が形成してあるとともに、かかる突起部（凸部）に連続する態様で溝部（凹部）が形成してあるので、部品点数を増大させるとともに、雄型連結部及び雌型連結部が複雑な形状を有するものとなる。そのため、製造コストの増大化を招来するだけでなく、雄型連結部と雌型連結部との連結が煩雑なものとなる虞れがあった。
【０００５】
本考案は、上記実情に鑑みて、製造コストの低減化を図るとともに、雄型連結部及び雌型連結部のそれぞれの連結性の向上を図ることができる断熱ボードを提供することを目的とする。
【課題を解決するための手段】
【０００６】
上記目的を達成するために、本考案の請求項１に係る断熱ボードは、平板状を成す金属製の表面材と、平板状を成す金属製の裏面材との間に断熱性を有する芯材を介在させて一体的に構成し、左右両端の一方に雄型連結部が形成されるとともに他方に雌型連結部が形成された断熱ボードにおいて、前記雄型連結部は、前記表面材及び前記裏面材のそれぞれの一端部を屈曲させて構成された先細り形状の突部を備え、前記雌型連結部は、前記表面材及び前記裏面材のそれぞれの他端部を屈曲させて構成され、かつ先端に向かうに連れて開口面積が漸次大きく成る態様の窪部と、前記窪部に連続する態様で前記表面材の他端部を屈曲させて構成され、かつ隣接する他の断熱ボードの隣接端部を覆うためのカバー部とを備えたことを特徴とする。
【０００７】
また、本考案の請求項２に係る断熱ボードは、上述した請求項１において、前記芯材は、発泡ウレタンであることを特徴とする。
【考案の効果】
【０００８】
本考案の断熱ボードによれば、雄型連結部が表面材及び裏面材のそれぞれの一端部を屈曲させて構成された先細り形状の突部を備え、雌型連結部が、表面材及び裏面材のそれぞれの他端部を屈曲させて構成され、かつ先端に向かうに連れて開口面積が漸次大きく成る態様の窪部と、窪部に連続する態様で表面材の他端部を屈曲させて構成され、かつ隣接する他の断熱ボードの隣接端部を覆うためのカバー部とを備えている。そのため、従来のように長尺状の無機ボードを一体的に取り付けて突部等を形成する必要がなく、部品点数を低減させることができる。また、雄型連結部には一の突部が備えてあり、雌型連結部には一の窪部が備えてあるので、かかる断熱ボードの複数を左右に並設する態様で構造躯体に取り付ける場合に、一の断熱ボードにおける雄型連結部の突部が隣接する他の断熱ボードにおける雌型連結部の窪部に相対的に進入する態様で該他の断熱ボードを一の断熱ボードに対して近接させるだけで良く、雄型連結部と雌型連結部との連結が煩雑なものになる虞れがない。従って、製造コストの低減化を図るとともに、雄型連結部及び雌型連結部のそれぞれの連結性の向上を図ることができるという効果を奏する。
【図面の簡単な説明】
【０００９】
【図１】図１は、本考案の実施の形態である断熱ボードを示す斜視図である。
【図２】図２は、本考案の実施の形態である断熱ボードの横断面を拡大して示す断面図である。
【図３】図３は、構造躯体に断熱ボードを取り付ける手順を示すための説明図である。
【図４】図４は、構造躯体に断熱ボードを取り付ける手順を示すための説明図である。
【考案を実施するための形態】
【００１０】
以下に添付図面を適宜参照しながら、本考案に係る断熱ボードの好適な実施の形態について詳細に説明する。
【００１１】
図１及び図２は、それぞれ本考案の実施の形態である断熱ボードを示すものであり、図１は、斜視図、図２は、横断面を拡大して示す断面図である。ここで例示する断熱ボードは、例えばコンビニエンスストア等の店舗の外壁材を構成するためのもので、表面材１０と裏面材２０との間に芯材３０を介在させて一体的に形成したもので、雄型連結部４０と雌型連結部５０とを備えている。
【００１２】
表面材１０は、例えば鉄、アルミニウム、銅、ステンレス等の金属材料から成る平板状のもので、左右両端部を適宜屈曲させて構成したものである。裏面材２０は、表面材１０と同様に、例えば鉄、アルミニウム、銅、ステンレス等の金属材料から成る平板状のもので、左右両端部を適宜屈曲させて構成したものである。本実施の形態では、裏面材２０は、表面材１０と同一の金属材料から構成したものであることが好ましい。
【００１３】
芯材３０は、例えば発泡ウレタンのような断熱性を有するものである。この芯材３０は、互いの内面が対向する態様で配設された表面材１０と裏面材２０との間に、未発泡の原料を吐出し、反応、発泡させて、表面材１０と裏面材２０とを一体的に固着させるものである。
【００１４】
雄型連結部４０は、断熱ボードの左側端部に形成されている。ここで本明細書において、左側とは、断熱ボードを表面材１０が正面となる態様で配置した場合に、該断熱ボードを正面から見たときの左方を示し、右側とは、断熱ボードを表面材１０が正面となる態様で配置した場合に、該断熱ボードを正面から見たときの右方を示すものとする。
【００１５】
この雄型連結部４０は、表面材１０の左端部１１、裏面材２０の左端部２１及びこれら表面材１０と裏面材２０との間に介在する芯材３０により構成してある。
【００１６】
表面材１０の左端部１１は、第１後延部１１１と、第１左延部１１２と、第２後延部１１３と、第２左延部１１４と、第１左後延部１１５と、第１Ｌ字状部１１６とが連続する態様で屈曲して形成してある。
【００１７】
第１後延部１１１は、表面材１０の主部、すなわち断熱ボードの外面を構成する部分の左端から後方に向けて延在する部分である。第１左延部１１２は、第１後延部１１１の延在端部から左方に向けて延在する部分である。
【００１８】
第２後延部１１３は、第１左延部１１２の延在端部から後方に向けて延在する部分である。第２左延部１１４は、第２後延部１１３の延在端部から左方に向けて延在する部分である。この第２左延部１１４には、図１に示すように、上下方向に沿って所定の間隔ごとに複数の孔部１１４ａが形成してある。
【００１９】
第１左後延部１１５は、第２左延部１１４の延在端部から左斜め後方に向けて延在する部分である。第１Ｌ字状部１１６は、第１左後延部１１５の延在端部から後方に延在する部位１１６ａと、その後方に延在する部位１１６ａの端部から右方に延在する部位１１６ｂとを備えた部分である。
【００２０】
裏面材２０の左端部２１は、第１前延部２１１と、第１左前延部２１２と、第２Ｌ字状部２１３とが連続する態様で屈曲して形成してある。第１前延部２１１は、裏面材２０の主部、すなわち断熱ボードの内面を構成する部分の左端、つまり表面材１０の第２左延部１１４の延在端部の後方に位置する端部から前方に向けて延在する部分である。第１左前延部２１２は、第１前延部２１１の延在端部から左斜め前方に向けて延在する部分である。この第１左前延部２１２の延在開始位置及び延在終了位置は、第１左後延部１１５の延在開始位置及び延在終了位置のそれぞれ後方側に位置しており、第１左後延部１１５と第１左前延部２１２とは、傾斜角度や延在長さがともに等しい関係になっている。第２Ｌ字状部２１３は、第１左前延部２１２の延在端部から前方に延在する部位２１３ａと、その前方に延在する部位２１３ａの端部から右方に延在する部位２１３ｂとを備えた部分である。この第２Ｌ字状部２１３を構成する右方延在部位２１３ｂは、第１Ｌ字状部１１６を構成する右方延在部位１１６ｂと等しい延在長さを有するとともに、互いに所定の間隔だけ離隔した状態で前後に対向する関係になっている。
【００２１】
そして、このような表面材１０の左端部１１と裏面材２０の左端部２１との間に芯材３０が介在して一体的に形成してあることにより、表面材１０の第１左後延部１１５と裏面材２０の第１左前延部２１２とから先細り形状の突部４１が構成してある。つまり、雄型連結部４０は、表面材１０及び裏面材２０のそれぞれの左端部１１，２１を屈曲させて構成された先細り形状の突部４１を備えている。
【００２２】
雌型連結部５０は、断熱ボードの右側端部に形成されている。この雌型連結部５０は、表面材１０の右端部１２、裏面材２０の右端部２２及びこれら表面材１０と裏面材２０との間に介在する芯材３０により構成してある。
【００２３】
表面材１０の右端部１２は、第３後延部１２１と、第３左延部１２２と、第４後延部１２３と、第２左後延部１２４と、第３Ｌ字状部１２５とが連続する態様で屈曲して形成してある。第３後延部１２１、表面材１０の主部の右端から後方に向けて延在する部分である。第３左延部１２２は、第３後延部１２１の延在端部から左方に向けて延在する部分である。第４後延部１２３は、第３左延部１２２の延在端部から後方に向けて延在する部分である。第２左後延部１２４は、第３後延部１２１の延在端部から左斜め後方に向けて延在する部分である。第３Ｌ字状部１２５は、第２左後延部１２４の延在端部から後方に延在する部位１２５ａと、その後方に延在する部位１２５ａの端部から左方に延在する部位１２５ｂとを備えた部分である。
【００２４】
裏面材２０の右端部２２は、第２前延部２２１と、第２左前延部２２２と、第４Ｌ字状部２２３とが連続する態様で屈曲して形成してある。第２前延部２２１は、裏面材２０の主部の右端から前方に向けて延在する部分である。第２左前延部２２２は、第２前延部２２１の延在端部から左斜め前方に向けて延在する部分である。この第２左前延部２２２の延在開始位置及び延在終了位置は、第２左後延部１２４の延在開始位置及び延在終了位置のそれぞれ後方側に位置しており、第２左後延部１２４と第２左前延部２２２とは、傾斜角度や延在長さがともに等しい関係になっている。第４Ｌ字状部２２３は、第２左前延部２２２の延在端部から前方に延在する部位２２３ａと、その前方に延在する部位２２３ａの端部から左方に延在する部位２２３ｂとを備えた部分である。この第４Ｌ字状部２２３を構成する左方延在部位２２３ｂは、第３Ｌ字状部１２５を構成する左方延在部位１２５ｂと等しい延在長さを有するとともに、互いに所定の間隔だけ離隔した状態で前後に対向する関係になっている。
【００２５】
そして、このような表面材１０の右端部１２と裏面材２０の右端部２２との間に芯材３０が介在して一体的に形成してあることにより、表面材１０の第２左後延部１２４と裏面材２０の第２左前延部２２２とから先端（右側）に向かうに連れて開口面積が漸次大きく成る態様で上記突部４１より僅かに大きい窪部５１が構成してある。つまり、雌型連結部５０は、表面材１０及び裏面材２０のそれぞれの右端部１２，２２を屈曲させて構成され、かつ先端に向かうに連れて開口面積が漸次大きく成る態様の窪部５１を備えている。
【００２６】
また、このような雌型連結部５０においては、表面材１０の主部の一部と、第３後延部１２１と、第３左延部１２２とにより、横断面が矩形状を成すカバー部５２が構成してある。つまり、雌型連結部５０は、窪部５１に連続する態様で表面材１０の右端部１２を屈曲させて構成されたカバー部５２を備えている。
【００２７】
以下において上述した断熱ボードを外壁材として店舗の構造躯体１（図３参照）に取り付ける場合について説明する。
【００２８】
まず、一の断熱ボードを予め構造躯体１に取り付ける。より詳細には、断熱ボードの表面材１０が外面を構成し、かつ裏面材２０が内面を構成する態様で、裏面材２０の表面が構造躯体１の表面に接するようにして断熱ボードの左端部、すなわち雄型連結部４０に形成された孔部１１４ａにボルトＢを挿通させて、該断熱ボードを構造躯体１に締結固定する。
【００２９】
次に、このように構造躯体１に取り付けた一の断熱ボードに対して、図３に示すように、他の断熱ボードを左方から近接させる。この際、他の断熱ボードの雌型連結部５０の窪部５１の底面、すなわち第３Ｌ字状部１２５の後方延在部位１２５ａ及び第４Ｌ字状部２２３の前方延在部位２２３ａの表面、並びにこれらの間に介在する芯材３０の表面には、ゴム製の長尺矩形状のパッキンＰが貼付してある。そして、この窪部５１に既に構造躯体１に取り付けてある一の断熱ボードの雄型連結部４０の突部４１が相対的に進入する態様で近接させる。
【００３０】
このようにして近接させた他の断熱ボードを一の断熱ボードに更に近接させることにより、図４に示すように、一の断熱ボードにおける雄型連結部４０の突部４１が他の断熱ボードにおける雌型連結部５０の窪部５１に相対的に進入し、互いにパッキンＰを押圧することになる。かかるパッキンＰにより水密性を確保することが可能になる。
【００３１】
このように突部４１が窪部５１に相対的に進入することにより、他の断熱ボードにおける雌型連結部５０のカバー部５２が、一の断熱ボードにおける雄型連結部４０の外面（正面）側に位置し、すなわち、該雄型連結部４０の第１左延部１１２、第２後延部１１３及び第２左延部１１４を覆う態様で位置し、これにより、雌型連結部５０のカバー部５２が一の断熱ボードの左端部、すなわち隣接端部を覆うことになる。
【００３２】
かかる状態で、図には明示しないが、他の断熱ボードの雄型連結部４０の孔部１１４ａにボルトＢを挿通させて、該断熱ボードを構造躯体１に締結固定させることにより取り付けることができる。かかる取り付け作業を繰り返すことにより、構造躯体１の外表面を断熱ボードで覆うことができ、かかる断熱ボードが外壁材の役割を成す。
【００３３】
以上説明した本実施の形態である断熱ボードにおいては、雄型連結部４０が表面材１０及び裏面材２０のそれぞれの左端部１１，２１を屈曲させて構成された先細り形状の突部４１を備え、雌型連結部５０が、表面材１０及び裏面材２０のそれぞれの右端部１２，２２を屈曲させて構成され、かつ先端に向かうに連れて開口面積が漸次大きく成る態様の窪部５１と、窪部５１に連続する態様で表面材１０の右端部１１を屈曲させて構成され、かつ隣接する他の断熱ボードの隣接端部を覆うためのカバー部５２とを備えている。そのため、従来のように長尺状の無機ボードを一体的に取り付けて突部等を形成する必要がなく、部品点数を低減させることができる。また、雄型連結部４０には一の突部４１が備えてあり、雌型連結部５０には一の窪部５１が備えてあるので、かかる断熱ボードの複数を左右に並設する態様で構造躯体１に取り付ける場合に、一の断熱ボードにおける雄型連結部４０の突部４１が隣接する他の断熱ボードにおける雌型連結部５０の窪部５１に相対的に進入する態様で該他の断熱ボードを一の断熱ボードに対して近接させるだけで良く、雄型連結部４０と雌型連結部５０との連結が煩雑なものになる虞れがない。従って、上記断熱ボードによれば、製造コストの低減化を図るとともに、雄型連結部４０及び雌型連結部５０のそれぞれの連結性の向上を図ることができる。
【００３４】
また、上記断熱ボードによれば、雌型連結部５０のカバー部５２が隣接する断熱ボードの隣接端部を覆うので、該断熱ボードを構造躯体１に締結固定するボルトＢの頭部が露出することを防止することができ、意匠性の向上を図ることが可能になる。
【００３５】
更に、上記断熱ボードによれば、突部４１及び窪部５１は、表面材１０及び裏面材２０のそれぞれの端部を屈曲させ、しかもこれらの間に芯材３０を介在させて形成してあるので、十分な大きさを有するものとなる。これにより、一の断熱ボードの突部４１を他の断熱ボードの窪部５１に相対的に進入させて雄型連結部４０と雌型連結部５０とを連結すると、その連結力を十分に大きなものとすることができ、これにより連結強度の向上を図ることが可能になる。
【産業上の利用可能性】
【００３６】
以上のように、本考案に係る断熱ボードは、例えばコンビニエンスストア等の店舗の外壁材を構成するのに有用である。
【符号の説明】
【００３７】
１  構造躯体
１０  表面材
１１  左端部（表面材の左端部）
１１１  第１後延部
１１２  第１左延部
１１３  第２後延部
１１４  第２左延部
１１５  第１左後延部
１１６  第１Ｌ字状部
１２  右端部（表面材の右端部）
１２１  第３後延部
１２２  第３左延部
１２３  第４後延部
１２４  第２左後延部
１２５  第３Ｌ字状部
２０  裏面材
２１  左端部（裏面材の左端部）
２１１  第１前延部
２１２  第１左前延部
２１３  第２Ｌ字状部
２２  右端部（裏面材の右端部）
２２１  第２前延部
２２２  第２左前延部
２２３  第４Ｌ字状部
３０  芯材
４０  雄型連結部
４１  突部
５０  雌型連結部
５１  窪部
５２  カバー部
Ｂ  ボルト
Ｐ  パッキン
【図１】
0003160288.tif 000003
【図２】
0003160288.tif 000004
【図３】
0003160288.tif 000005
【図４】
0003160288.tif 000006